(57)【要約】【課題】何らかの原因により電源供給回路による電源供給が不可能な場合でも、静電気やサージ電流によるレーザダイオードの劣化や破壊を防止可能にする。【解決手段】リレー３は、スイッチ３１と電磁石３２とを有している。スイッチ３１は、平常時クローズするようにバネなどで付勢されている。電圧検出回路２からリレー３にＶｒｅｆ（≠０）が印加された場合、電磁石３２はバネの付勢に抗した磁気力をスイッチ３１に加えスイッチ３１をオープンにする。この場合、レーザダイオード４１は駆動回路１３から供給された電圧により発光可能である。一方、電圧検出回路２から印加される電圧Ｖｒｅｆ＝０の場合、電磁石３２は磁気力を失うため、バネの付勢によりスイッチ３１はクローズし、アノード側端子１６とカソード側端子１７とがショート（短絡）する。【選択図】　　　図１
0003097424.tif 000002
【実用新案登録請求の範囲】
【請求項１】
レーザダイオードへ電源を供給する電源供給回路における前記レーザダイオードのアノード側の端子の電圧を検出する電圧検出回路と、前記電圧検出回路が検出した電圧が零の場合、前記レーザダイオードのアノード側とカソード側とを短絡する機械スイッチとを備えることを特徴とする光ディスク装置。
【請求項２】
レーザダイオードへ電源を供給する電源供給回路における所定の地点の電圧を検出する電圧検出回路と、前記電圧検出回路が検出した電圧が零の場合、前記レーザダイオードのアノード側とカソード側とを短絡する機械スイッチとを備えることを特徴とする光ディスク装置。
【請求項３】
前記所定の地点は、前記レーザダイオードのアノード側の端子であることを特徴とする請求項２記載の光ディスク装置。
【請求項４】
前記所定の地点は、前記電源供給回路に含まれる前記レーザダイオードの駆動回路の出力端子であることを特徴とする請求項２記載の光ディスク装置。
【請求項５】
前記所定の地点は、前記電源供給回路に含まれる前記電源変換回路の出力端子であることを特徴とする請求項２記載の光ディスク装置。
【考案の詳細な説明】
【０００１】
【考案の属する技術分野】
本考案は、光ディスク装置に用いられるレーザダイオードの保護に関する。
【０００２】
【従来の技術】
従来、ＣＤ、ＤＶＤなどの光ディスクに記録されているデータの読み取りや、データの書き込みを行う光ディスク装置の光ピックアップに用いられるレーザダイオードの保護回路として、様々なものが考案されている。
【０００３】
例えば、実開平６−５２０１８号公報（以下、文献１）には、電源電圧が定常状態に安定するまでレーザダイオードへの通電を遮断する技術が開示されている。文献１によると、レーザダイオード２１１と並列にトランジスタ２５１を接続する。電源電圧Ｖｃｃが主制御部２４のＣＰＵを正常に動作できる電圧になっていない場合、レーザダイオード保護回路２５の比較器２５６から出力されるイネーブル信号ＥＮの電圧レベルをローレベルに設定し、トランジスタ２５１をオン状態にして、レーザダイオード２１１のアノード・カソード間を短絡する。そして、電源電圧Ｖｃｃが主制御部２４のＣＰＵを正常に動作できる電圧になった場合、比較器２５６から出力されるイネーブル信号ＥＮの電圧レベルをハイレベルに設定し、トランジスタ２５１をオフ状態にして、レーザダイオード２１１への通電を可能にする。
【０００４】
また、例えば、実開平４−２４１４８５号公報（以下、文献２）には、電源電圧の異常が検出された場合レーザダイオードへの電源を遮断する技術が開示されている。文献２によると、電源モニタ１５は入力端電圧を監視し、電圧異常を検出して異常信号を出力する。電源ブレーカ１６はその異常信号または遮断信号に応じて電源１２を遮断する。
【０００５】
また、例えば、特開昭６２−１２１７７号公報（以下、文献３）には、電源が定常状態でないときにはレーザダイオードにバイアス電流を流さない技術が開示されている。文献３によると、電源電源２０が定常状態でない場合、スイッチ２３をオフにし、レーザダイオード１１にバイアス電流１９を流さないようにする。
【０００６】
【考案が解決する課題】
文献１の技術は、電源電圧の低下によるレーザダイオードの劣化や破壊を防止することができる。しかし、何らかの原因でトランジスタ２５１への電源供給が不可能な場合はレーザダイオード２１１のアノード・カソード間を短絡できない。この場合、レーザダイオード２１１の端子に静電気やサージが加わり、レーザの劣化や破壊を起こす可能性がある。
【０００７】
文献２の技術は、電圧異常によるレーザダイオードの破損を防ぐことができる。しかし、電源ブレーカ１６が電源１２を遮断しても、レーザダイオードの端子に静電気やサージが加わる可能性があるため、レーザの劣化や破壊を起こす可能性がある。
【０００８】
文献３の技術は、電源電圧の異常によるレーザダイオードの破損を防ぐことができる。しかし、スイッチ２３をオフにしても、レーザダイオード１１の端子に静電気やサージが加わる可能性があるため、レーザダイオード１１の劣化や破壊を起こす可能性がある。
【０００９】
本考案の目的は、何らかの原因により電源供給回路による電源供給が不可能な場合でも、静電気やサージ電流によるレーザダイオードの劣化や破壊を防止可能にすることにある。
【００１０】
【課題を解決するための手段】
請求項１記載の考案は、レーザダイオードへ電源を供給する電源供給回路における前記レーザダイオードのアノード側の端子の電圧を検出する電圧検出回路と、前記電圧検出回路が検出した電圧が零の場合、前記レーザダイオードのアノード側とカソード側とを短絡する機械スイッチとを備えることを特徴とする光ディスク装置である。
【００１１】
請求項２記載の考案は、レーザダイオードへ電源を供給する電源供給回路における所定の地点の電圧を検出する電圧検出回路と、前記電圧検出回路が検出した電圧が零の場合、前記レーザダイオードのアノード側とカソード側とを短絡する機械スイッチとを備えることを特徴とする光ディスク装置である。
【００１２】
本考案によると、レーザダイオードへ電源を供給する電源供給回路の所定の地点における電圧が零の場合、レーザダイオードのアノード側とカソード側とが機械スイッチにより短絡される。即ち、電源供給回路の電源オフ、故障、断線、レーザダイオードの電源供給回路への接続ミスなど何らかの原因で電源供給回路による電源供給が不可能な状態でも、静電気やサージ電流は短絡されたリレーを迂回して流れ、レーザダイオードには流れない。従って、電源供給回路に問題が生じ電源供給が不可能であっても静電気やサージ電流によるレーザダイオードの劣化や破壊を防ぐことができる。また、レーザダイオードの位置合わせ作業などにおいて、レーザダイオードの取り扱いが容易になる。
【００１３】
請求項３記載の考案は、前記所定の地点は、前記レーザダイオードのアノード側の端子であることを特徴とする請求項２記載の光ディスク装置である。
【００１４】
本考案によると、レーザダイオードのアノード側の端子における電圧が零の場合、レーザダイオードのアノード側とカソード側とが短絡される。即ち、電源供給回路の電源オフ、故障、断線、レーザダイオードの電源供給回路への接続ミスなど何らかの原因で電源供給回路による電源供給が不可能な状態でも、静電気やサージ電流は短絡されたリレーを迂回して流れ、レーザダイオードには流れない。従って、電源供給回路に問題が生じても静電気やサージ電流によるレーザダイオードの劣化や破壊を防ぐことができる。
【００１５】
請求項４記載の考案は、前記所定の地点は、前記電源供給回路に含まれる前記レーザダイオードの駆動回路の出力端子であることを特徴とする請求項２記載の光ディスク装置である。
【００１６】
本考案によると、レーザダイオードの駆動回路の出力端子における電圧が零の場合、レーザダイオードのアノード側とカソード側とが短絡される。即ち、レーザダイオードの駆動回路の故障、断線、接続ミスなど何らかの原因で電源供給回路による電源供給が不可能な状態でも、静電気やサージ電流は短絡されたリレーを迂回して流れ、レーザダイオードには流れない。従って、駆動回路に問題が生じても静電気やサージ電流によるレーザダイオードの劣化や破壊を防ぐことができる。
【００１７】
請求項５記載の考案は、前記所定の地点は、前記電源供給回路に含まれる前記電源変換回路の出力端子であることを特徴とする請求項２記載の光ディスク装置である。
【００１８】
本考案によると、電源変換回路の出力端子における電圧が零の場合、レーザダイオードのアノード側とカソード側とが短絡される。即ち、電源変換回路の故障、断線、接続ミスなど電源変換回路に関する何らかの原因で電源変換回路が電源供給不可能な状態でも、静電気やサージ電流は短絡されたリレーを迂回して流れ、レーザダイオードには流れない。従って、電源変換回路に問題が生じても静電気やサージ電流によるレーザダイオードの劣化や破壊を防ぐことができる。
【００１９】
【考案の実施の形態】
＜第１実施形態＞
図１は、本考案の第１実施形態に係る光ディスク装置の回路図である。この光ディスク装置は、電源供給回路１、電圧検出回路２、リレー３及び光ピックアップ４を備えている。光ピックアップ４は、レーザダイオード４１、ビームスプリッタ４２、対物レンズ４３及び再生部４４を有している。レーザダイオード４１は、レーザ光Ｌをビームスプリッタ４２に照射する。ビームスプリッタ４２は、レーザ光Ｌを対物レンズ４３に反射する。対物レンズ４３は、レーザ光Ｌを集光して光ディスク１００に照射する。ビームスプリッタ４２は、光ディスク１００からの反射光Ｌ’を再生部４４に通過させる。再生部４４は、反射光Ｌ’から検出される情報を再生する。
【００２０】
電源供給回路１は、電源変換回路１１及び駆動回路１３を有している。電源変換回路１１は、商用電源などから供給される電流を所定の電圧Ｖｃｃ（例えば５Ｖ）に変換し、出力端子１２に出力する。駆動回路１３は、出力端子１２から出力される電圧Ｖｃｃをパルス変換するなどして、出力端子１４に出力する。分岐部１５は、出力端子１４とレーザダイオード４１のアノード側端子１６とを接続する一方、出力端子１４とリレー３とを接続する。電圧検出回路２は、直列接続した抵抗器２１、２２によってアノード側端子１６の電圧を分圧した電圧Ｖｒｅｆを検出し、リレー３に印加する。リレー３は、レーザダイオード４１のアノード側端子１６とカソード側端子１７との接続をショートまたはオープンにする。
【００２１】
リレー３は、スイッチ３１と電磁石３２とを有している。スイッチ３１は、平常時クローズするようにバネなどで付勢されている。電圧検出回路２からリレー３にＶｒｅｆ（≠０）が印加された場合、電磁石３２はバネの付勢に抗した磁気力をスイッチ３１に加えスイッチ３１をオープンにする。この場合、レーザダイオード４１は駆動回路１３から供給された電圧により発光可能である。一方、電圧検出回路２から印加される電圧Ｖｒｅｆ＝０の場合、電磁石３２は磁気力を失うため、バネの付勢によりスイッチ３１はクローズし、アノード側端子１６とカソード側端子１７とがショート（短絡）する。
【００２２】
即ち、電源変換回路１１や駆動回路１３の故障、駆動回路１３からレーザダイオード４１までの配線の断線、分岐部１５の切断、出力端子１２、１４、分岐部１５の接続ミス、電源供給回路１の電源オフなど、何らかの原因で電源供給回路１からレーザダイオード４１への電源供給が不可能なためにＶｒｅｆ＝０となった場合、アノード側端子１６とカソード側端子１７とがショートする。この場合、電源供給回路１からレーザダイオード４１へ静電気やサージ電流が加えられても、レーザダイオード４１には電流が流れず、リレー３を介して流れる。従って、レーザダイオード４１に静電気やサージが加わることでレーザダイオード４１が劣化したり破壊したりすることを防ぐことができる。また、レーザダイオード４１の位置合わせ作業などにおいて、レーザダイオード４１の取り扱いが容易になる。
【００２３】
＜第２実施形態＞
図２は、本考案の第２実施形態に係る光ディスク装置の回路図である。この光ディスク装置は、第１実施形態と同様、電源供給回路１、電圧検出回路２、リレー３及び光ピックアップ４を備えている。電源供給回路１、リレー３及び光ピックアップ４の機能は第１実施形態と同様であるため説明を省略する。電圧検出回路２は、第１実施形態と異なり出力端子１２の電圧Ｖｒｅｆを検出してリレー３に印加する。リレー３は、Ｖｒｅｆ＝０の場合、アノード側端子１６とカソード側端子１７とがショート（短絡）する。
【００２４】
このようにすれば、電源変換回路１１の故障や断線など、電源変換回路１１に関係する何らかの原因で電源供給回路１からレーザダイオード４１への電源供給が不可能なためにＶｒｅｆ＝０となった場合、アノード側端子１６とカソード側端子１７とがショートする。この場合、電源供給回路１からレーザダイオード４１へ静電気やサージ電流が加えられても、レーザダイオード４１には電流が流れず、リレー３を介して流れる。従って、レーザダイオード４１に静電気やサージが加わることでレーザダイオード４１が劣化したり破壊したりすることを防ぐことができる。また、レーザダイオード４１の位置合わせ作業などにおいて、レーザダイオード４１の取り扱いが容易になる。
【００２５】
＜その他の実施形態＞
電圧検出回路２が電圧を検出する箇所は、上記以外であってもよい。例えば、図３に示すように出力端子１４の電圧を検出するようにしてもよい。あるいは、分岐部１５の電圧を検出するようにしてもよい。このようにしても、何らかの原因でＶｒｅｆ＝０となった場合、アノード側端子１６とカソード側端子１７とがショートし、静電気やサージによるレーザダイオード４１の劣化や破壊を防ぐことができる。
【００２６】
【考案の効果】
本考案によると、何らかの原因で電源供給回路による電源供給が不可能であっても静電気やサージ電流によるレーザダイオードの劣化や破壊を防ぐことができる。
【図面の簡単な説明】
【図１】第１実施形態に係る光ディスク装置の回路図。
【図２】第２実施形態に係る光ディスク装置の回路図。
【図３】その他の実施形態に係る光ディスク装置の回路図。
【符号の説明】
１：電源供給回路
１１：電源変換回路
１２、１４：出力端子
１３：駆動回路
１５：分岐部
１６：アノード端子
１７：カソード端子
３：リレー
３１：スイッチ
３２：電磁石
４：光ピックアップ
１００：光ディスク
【図１】
0003097424.tif 000003
【図２】
0003097424.tif 000004
【図３】
0003097424.tif 000005